(57)【要約】      （修正有）【課題】部品点数を低減でき、被挟持物の挟持可能な厚さを増加できるクリップを提供すること。【解決手段】底板１１と押さえ部１２と定位部品１３とを含む。前記底板はその先端に形成された複数の突起で構成される突起領域１１３と、後端に設けられた嵌合槽および結合部とを有する。前記押さえ部の一端に底板の嵌合槽に嵌合して固定端を形成するための嵌合ブロックが設けられていると共に、もう一端には前記底板の突起領域の上方に位置して対応する突起領域がある。前記定位部品はその一側に屈折シート１３１を有し、該屈折シートの両側が前記底板の中間に枢支されている。底板および押さえ部の突起領域を構成する複数の突起の高さが前から後へ徐々に低くなっている。【選択図】図１
0003129811.tif 000002
【実用新案登録請求の範囲】
【請求項１】
底板と押さえ部と定位部品とを含み、
前記底板はその中間の両側に夫々設けられた耳部と、その先端に形成された複数の突起で構成される突起領域と、後端に設けられた嵌合槽および結合部とを有し、
前記底板の突起領域に位置する複数の突起の高さが前から後へ徐々に低くなっていて、
前記押さえ部は傾斜角度を有するシート体で、その一端に前記底板の嵌合槽に嵌合することにより固定端になる嵌合ブロックが設けられていると共に、もう一端には前記底板の突起領域の上方に位置して対応する突起領域があり、
前記押さえ部の突起領域に位置する複数の突起の高さが前から後へ徐々に低くなっていて、
前記定位部品はその一側に屈折シートを有し、該屈折シートの両側が前記底板の両耳部に可動的に結合されていることを特徴とする、
クリップ。
【請求項２】
前記底板の突起領域において、複数の突起は、等間隔をあけて底板の突起領域の左右両側に配列するように設置され、前記押さえ部の対応する突起領域において、複数の突起は、等間隔を開けて突起領域の中央に配列するように設置されることを特徴とする、請求項１に記載のクリップ。
【請求項３】
前記底板の後端に位置する結合部は、結合孔であることを特徴とする、請求項１に記載のクリップ。
【請求項４】
前記底板の両耳部に夫々軸穴が設けられ、前記定位部品の屈折シートの両側に夫々互いに枢着するためのスピンドルが設けられることを特徴とする、請求項１に記載のクリップ。
【考案の詳細な説明】
【技術分野】
【０００１】
本考案は証書グリップやネームプレートグリップ、或いはこれに類似する構造に適用できるクリップに関し、より詳細には構成部品点数を低減できて、挟持可能の厚さを増加でき、クリップに関するものである。
【背景技術】
【０００２】
図６を参照しながら便利な道具である従来のクリップについて説明する。
クリップは、底座Ａ、金属弾性シートＢ及び押え合いシートＣから構成される。
前記底座Ａの中間位置の左右両側には、軸穴Ａ１１を有する突出耳Ａ１が夫々設けられている。
底座Ａの前側には突部Ａ２が形成されると共に、この突部Ａ２に等間隔に複数の突起Ａ２１が設けられている。
底座Ａの後側には貫通穴が形成されていて、この貫通穴に一端を係留した押え板Ａ３のが底座Ａと対向して延設される。
前記押え板Ａ３の中間には凹み部Ａ３１が形成され、また押え板Ａ３の先端には複数の突起Ａ３２が設けられている。
押え板Ａ３に設けられた複数の突起Ａ３２は、前記底座Ａに設けられた突起Ａ２１の位置とずれるように設置される。
前記弾性シートＢは、押え板Ａ３の長さに合わせた長方形シート体で、その前段に屈折部が設けられ、中段と後段の両側にそれぞれ突出部が設けられる。この突出部の距離は突出耳Ａ１の幅と略同じである。
前記押え合いシートＣは概略Ｌ形状のシート体で、底部の近くに位置する両側に夫々軸体Ｃ１が設けられる。
【０００３】
クリップの組み立てについて説明すると、弾性シートＢの前段の屈折部が押え板Ａ３に設けられた複数の突起Ａ３２の上方に位置するように押え板Ａ３に弾性シートＢを配置すると共に、弾性シートＢの中段と後段の両側に位置する突出部を底座Ａの両側に設けた突出耳Ａ１に跨るように配置する。
そして、弾性シートＢにより、押え板Ａ３の凹み部Ａ３１が高くなるようになる。
また、押え合いシートＣは、両側に位置する軸体Ｃ１を底座Ａの両側に設けた突出耳Ａ１の軸穴Ａ１１に挿入して枢着して、転動可能な押え合いシートＣの組み立てが完成する。
最終的に押え板Ａ３と底座Ａとの間にグリップ口を有するクリップが完成する。
【０００４】
上記したクリップは、各種の物品をグリップ（挟持）することができるが、押え板Ａ３に弾性を持たせるために別途の弾性シートＢが必要である。
また、押え合いシートＣを下方へ強く押すと、押え板Ａ３に力が負荷して下へ押されることに伴い複数の突起Ａ３２の先端全体が下へ押される。これにより、グリップ口の押え板Ａ３側の複数の突起Ａ３２と底座Ａ側の複数の突起Ａ２１が、平行、かつ緊密に挟み合う。そのため、比較的に厚いものを挟持することができないという問題点がある。
【０００５】
本考案は以上の点に鑑みて成されたもので、クリップの構成部品点数を低減できて、被挟持物の挟持可能の厚さを増加できる、より実用的なクリップを提案するものである。
【考案の開示】
【考案が解決しようとする課題】
【０００６】
本考案の主な目的は、部品点数を低減でき、被挟持物の挟持可能な厚さを増加できるクリップを提供することにある。
【課題を解決するための手段】
【０００７】
本考案は、上記の目的を達成するため、中段の両側に、それぞれ、耳部が設けられ、先端に、突起領域があり、前記突起領域に位置する複数の突起の高さが、前から後へ少しずつ低減し、後端に、嵌合槽と結合部が設けられる底板と、傾斜角度を有するシート体で、一端に、底板の嵌合槽に嵌合することにより固定端になる嵌合ブロックが設けられ、もう一端に、前記底板の突起領域の上方に位置して対応する突起領域があり、前記突起領域に位置する複数の突起の高さが、前から後へ少しずつ低減する押さえ部と、一側に、屈折シートがあり、前記屈折シートの両側が、可動的に前記底板の両耳部に結合される定位部品と、が含有され、定位部品の転動により、押さえ部の可動端と底板とが、傾斜に押え合うことか分離することかを制御するクリップである。
【０００８】
すなわち、本願の第１考案は、底板と押さえ部と定位部品とを含み、前記底板はその中間の両側に夫々設けられた耳部と、その先端に形成された複数の突起で構成される突起領域と、後端に設けられた嵌合槽および結合部とを有し、前記底板の突起領域に位置する複数の突起の高さが前から後へ徐々に低くなっていて、前記押さえ部は傾斜角度を有するシート体で、その一端に前記底板の嵌合槽に嵌合することにより固定端になる嵌合ブロックが設けられていると共に、もう一端には前記底板の突起領域の上方に位置して対応する突起領域があり、前記押さえ部の突起領域に位置する複数の突起の高さが前から後へ徐々に低くなっていて、前記定位部品はその一側に屈折シートを有し、該屈折シートの両側が前記底板の両耳部に可動的に結合されていることを特徴とする、クリップを提供する。
本願の第２考案は、前記底板の突起領域において、複数の突起は、等間隔を開けて底板の突起領域の左右両側に配列するように設置され、前記押さえ部の対応する突起領域において、複数の突起は、等間隔をあけて突起領域の中央に配列するように設置されることを特徴とする、前記第１考案に記載のクリップを提供する。
本願の第３考案は、前記底板の後端に位置する結合部は、結合孔であることを特徴とする、前記第１考案に記載のクリップを提供する。
本願の第４考案は、前記底板の両耳部に夫々軸穴が設けられ、前記定位部品の屈折シートの両側に夫々互いに枢着するためのスピンドルが設けられることを特徴とする、前記第１考案に記載のクリップを提供する。
【考案の効果】
【０００９】
本考案によれば、次の利点が得られる。
（１）押さえ部が、傾斜角度を有するシート体であるため、定位部品の屈折シートが直接に押さえ部に対して力を加えることができる。これにより、従来のクリップの構成部品である弾性シートを省略できて、より少ない部品点数で同じ目的を達成することができる。
【００１０】
（２）押さえ部の対応する突起領域が、底板の突起領域の上方に位置し、二つの突起領域に位置する複数の突起の高さが、前から後へ少しずつ低くなっていて、同時に、押さえ部自身が、傾斜角度を有するシート体であるため、定位部品を転動すると、底板と押さえ部が、傾斜するグリップ口を形成するため、比較的に厚い物件でも挟持することができてより便利になる。
【考案を実施するための最良の形態】
【００１１】
以下、図面を参照しながら本考案に係る実施例について詳しく説明する。
【００１２】
図１、２のように、本考案に係るクリップ１は、底板１１と押さえ部１２と定位部品（挟持部品）１３とを含む。
【００１３】
前記底板１１の中段の両側には耳部１１１が夫々設けられる。本実施例において、各耳部１１１には軸穴１１２が設けられる。
また、底板１１の先端部側には、複数の突起を左右に配列して構成される突起領域１１３が設けられている。本例では左右の高さが等しい突起を底板１１の長手方向に沿って二列設けた場合を例示する。
【００１４】
また、突起領域１１３を構成する各突起の高さは、前端側から耳部１１１を設けた後端側へ向けて順次低くなるように形成されている。すなわち、前端側の突起が最も高く、耳部１１１に近づくにつれて徐々に他の突起の高さが低くなっている。
また、底板１１の後端には、嵌合槽１１４と結合部１１５が形成されている。
結合部１１５は、例えば証書袋等を結合するためのもので、本実施例においては結合孔である場合について示す。
【００１５】
前記押さえ部１２は所定の角度で屈曲して形成したシート体（板体）で、その一端を下へ屈折しこの屈折部から水平に延ばしてクランク状に延出して嵌合ブロック１２１が形成されている。前記押さえ部１２の他端の下面には、前記突起領域１１３と対応する突起領域１２２が設けられている。
複数の突起を左右に配列して構成される突起領域１２２は、前記押さえ部１２の本体と所定の角度で屈曲した部位に形成されている。
【００１６】
また、突起領域１２２は、複数の高さが前端側から嵌合ブロック１２１を形成した後方側へ徐々に高さが低くなる複数の突起からなる。
その結果、底板１１の突起領域１１３と押さえ部１２の突起領域１２２を構成する複数突起の高さを前から後へ低く形成したことで、底板１１と押さえ部１２との間に傾斜したグリップ口が形成される。
本考案でいう傾斜したグリップ口とは、図３に示すように対向する底板１１の突起領域１１３と押さえ部１２の突起領域１２２の各突起の先端間の対向距離が奥に行くにしたがって拡張していることを意味するものである。
【００１７】
突起領域１２２を構成するこれら複数の突起は、前記した底板１１側の突起領域１１３に対応して位置ずれするように形成される。
即ち、前記底板１１側の突起領域１１１に位置する複数の突起は、等間隔を開けて底板１１の両側に列設されるのに対して、前記押さえ部１２に位置する突起領域１２２側の複数の突起は、等間隔を開けて中央部に設けられる。
換言すれば、前記底板１１側の左右の突起の間に、押さえ部１２側の対応する突起が対向して位置するように設けられている。
前記定位部品１３の一側には屈折シート（屈折片）１３１が延設されている。さらに本実施例においては、屈折シート１３１の屈曲部の両側に、支軸であるスピンドル１３２が夫々設けられている。
【００１８】
図２，３を参照しながらクリップの組み立てについて説明する。
前記押さえ部１２の起伏を許容するように、押さえ部１２の基端に設けられた嵌合ブロック１２１を、底板１１の嵌合槽１１４に嵌合して可動可能な固定端を形成する。
押さえ部１２の基端の固定端が底板１１の嵌合槽１１４に係合して支持されることに伴い、前記底板１１と対向する押さえ部１２の可動端（自由端）は突起領域１１３の上方に所定の距離を隔てて空中に浮いた状態で保持される。
定位部品１３は、屈折シート１３１を上向にして配置し、その両側のスピンドル１３２を底板１１の耳部１１１の軸穴１１２に枢着する。
【００１９】
スピンドル１３２と軸穴１１２の枢支部を中心に定位部品１３を転動させることにより、屈折シート１３１が押さえ部１２の本体を押圧することが可能である。
押さえ部１２の可動端の突起領域１２２と底板１１の突起領域１１３との間に、傾斜したグリップ口が形成される。
以上のようにより少ない部品点数でクリップ１が構成される。
【００２０】
また、押さえ部１２自身が、傾斜するシート体であるため、底板１１に嵌合された後、対応する突起領域１２２が、平行に、底板１１の突起領域１１３の上方で空中に浮いた状態になる。
そのため、定位部品１３を転動すると、屈折シート１３１が押さえ部１２の傾斜するシート体に圧力を加える結果、押さえ部１２が圧力を受けて対応する突起領域１２２が弾性変形しながら下へ押される。
【００２１】
その結果、底板１１と押さえ部１２との間には傾斜するグリップ口が形成される。
【００２２】
また、図４に示すように被挟持物が薄い物件２である場合は、底板１１の突起領域１１１と押さえ部１２の対応する突起領域１２２に設けられた先端側の第１の突起の長さが一番長いため、薄い物件２は、その両者によって形成された傾斜するグリップ口によって、安定的に挟持される。
【００２３】
また、図５に示すように被挟持物が厚さの厚い物件３である場合について説明する。
前記底板１１の突起領域１１１と前記押さえ部１２の対応する突起領域１２２に設けられた他の突起は、その突出高さが前から後へ少しずつ低く形成されているため、底板１１と押さえ部１２が形成された傾斜するグリップ口が、厚い物件３により広げられる。
【００２４】
そして、厚い物件３が突起領域１１１と対応する突起領域１２２に位置する他の突起（先端側の第１の突起より右方の突起）によって挟持される。
これにより、比較的に厚い物件３であっても同一のクリップ１で挟持が可能である。
尚、図５では突起領域１１１と対応する突起領域１２２の先端側の第１の突起により、厚い物件３を挟持した場合を図示する。
【００２５】
以上は本考案の一実施例について記載したが、本考案はこれらの記載に制限されるものではなく、当業者が適宜行う等価の変更や修正は本考案に含まれることは勿論である。
【図面の簡単な説明】
【００２６】
【図１】本考案の一実施例に係るクリップの立体外観図
【図２】本考案の実施例の素子分解図
【図３】本考案の実施例の挟み合う時の概念図
【図４】本考案の実施例の使用状態の概念図
【図５】本考案の実施例の他の使用状態の概念図
【図６】従来のクリップの側面図
【符号の説明】
【００２７】
１・・・・・・クリップ
１１・・・・・底板
１１１・・・・耳部
１１２・・・・軸穴
１１３・・・・突起領域
１１４・・・・嵌合槽
１１５・・・・結合部
１２・・・・・押さえ部
１２１・・・・嵌合ブロック
１２２・・・・対応する突起領域
１３・・・・・定位部品
１３１・・・・屈折シート
１３２・・・・スピンドル
２・・・・・・薄い物件
３・・・・・・厚い物件
Ａ・・・・・・底座
Ａ１・・・・・突出耳
Ａ１１・・・・軸穴
Ａ２・・・・・突部
Ａ２１・・・・突起
Ａ３・・・・・押え板
Ａ３１・・・・凹み部
Ａ３２・・・・突起
Ｂ・・・・・・弾性シート
Ｃ・・・・・・押え合いシート
Ｃ１・・・・・軸体
【図１】
0003129811.tif 000003
【図２】
0003129811.tif 000004
【図３】
0003129811.tif 000005
【図４】
0003129811.tif 000006
【図５】
0003129811.tif 000007
【図６】
0003129811.tif 000008